Podtech/llm-jp-corpus-v4-ja_patent huggingface dataset:
(57)【要約】【課題】締付作業の効率悪化を抑えつつ、精度の高い軸力管理が可能となるボルト及び該ボルトの製造方法を提供する。【解決手段】ボルトの頭部に、ボルトにおける初期長さに対する超音波の伝播時間ｔ０と、ｔ０の測定に関する、任意に選択された情報を示す印字を施す。【選択図】図１
2016031146.tif 000002
【特許請求の範囲】
【請求項１】
ボルトの頭部に、前記ボルトにおける初期長さに対する超音波の伝播時間ｔ０と、前記ｔ０の測定に関する、任意に選択された情報を示す印字を施したことを特徴とするボルト。
【請求項２】
ボルトの頭部とねじ先端部には、前記ボルトの軸に直交し、互いにほぼ平行となる２つの平面部が設けられていることを特徴とする請求項１に記載のボルト。
【請求項３】
前記平面部の加工方法が、冷間鍛造であることを特徴とする請求項２に記載のボルトを製造する方法。
【発明の詳細な説明】
【技術分野】
【０００１】  本発明は、ボルトとナットもしくは、ボルトと雌ねじを用いた締結における、ボルトの締付軸力（以下、「軸力」と表記）の管理に関するものである。
【背景技術】
【０００２】  締結において、軸力を適正に管理することが重要であるということは良く知られている。しかし、実際の締結体において軸力を直接測定することは難しいため、代替特性として締付トルクを測定・管理するトルク法が一般的に用いられている。【０００３】  直接軸力を測定する方法として、超音波による軸力測定（以下、「超音波軸力測定」と表記）がある。超音波軸力測定は、ボルトの初期状態と締付後における超音波の伝播時間の差によってボルトの伸びを測定し、予め作成しておいた荷重と伝播時間の差の関係式（以下、「較正式」と表記）に当てはめることで軸力を求めるという原理である。一般的なボルトに対して超音波軸力測定を行う場合、超音波を直線的に伝播させることを目的として、ボルト軸に直交し、ほぼ平行となる２平面を、研磨などの加工によりボルトの両端（頭部側及びねじ先端側）に設ける。そのため、超音波軸力測定は締結箇所の全数ではなく、締結条件の妥当性確認として試験的に行われる場合が多い。
【発明の概要】
【発明が解決しようとする課題】
【０００４】  超音波軸力測定において測定対象のボルトが短い場合、ボルトの初期長さのばらつきが製造上不可避な範囲であっても、較正式作成時のボルト初期長さを基準として測定すると、誤差が大きくなってしまうおそれがある。締付作業者が締付前にボルト毎の初期長さを測定する、あるいは締付後のボルトをゆるめてボルト長さを測定し、その値を初期長さとすることで、この問題は改善するものの、作業効率が悪化するという問題があった。【０００５】  本発明は上述のような課題を解決するためになされたものであり、締付作業の効率悪化を抑えつつ、精度の高い軸力管理が可能となるボルト及び該ボルトの製造方法を提供するものである。
【課題を解決するための手段】
【０００６】  この発明に係るボルトは、ボルトの頭部に、ボルトにおける初期長さに対する超音波の伝播時間ｔ０と、ｔ０の測定に関する、任意に選択された情報を示す印字を施したものである。
【発明の効果】
【０００７】  本発明によれば、締付けを実施するメーカーが締付前に超音波軸力測定を行うことなく、各ボルトにおける初期長さを把握できるため、締付作業の効率悪化を抑えつつ、精度の高い軸力管理が可能となる。また、予め超音波軸力測定を実施するボルトを決めておく必要が無いため、締付後にどのボルトでも超音波軸力測定を行うことが可能となる。
【図面の簡単な説明】
【０００８】
【図１】本発明におけるボルトを頭部側から見た図である。
【図２】本発明におけるボルトの部分断面図である。
【発明を実施するための形態】
【実施例】
【０００９】  本発明の実施例について、図１、図２を用いて説明する。図２に示すように、ボルト１の頭部とねじ先端部には、ボルト軸に直交し、互いにほぼ平行となる平面部１１、１２が設けられている。平面部１１、１２を冷間鍛造時に予め加工することにより、研磨などを行わなくても超音波軸力測定が可能となる。【００１０】  図１に示すように、ボルト１における頭部には、印字１４が施されている。印字１４は、それぞれのボルトにおける初期長さに対する超音波の伝播時間ｔ０（ハイフン以前）と、ｔ０を測定した時点の気温（ハイフン以後）を示している。印字１４による情報をそれぞれのボルトが有することにより、締付作業者がｔ０を測定しなくても、精度の高い軸力測定を行うことが可能となる。なお、印字する情報のうちｔ０は超音波軸力測定のために必須であるが、気温や測定日、測定者など、その他の情報については需要に応じて適宜選択可能である。【００１１】  印字の方法は様々考えられるが、例えばレーザーマーカーによって文字の部分を焼く方法ならば、比較的狭い領域に対しても鮮明に、かつ巨視的な凹凸を生じることなく印字することが可能である。また、数値情報を直接印字する代わりに、バーコードやＱＲコード（登録商標）を印字することによって、提示可能な情報量が増加するだけでなく、情報の読み取りが正確かつ簡便になる。ＱＲコードによって提示する情報は、先述のｔ０などの他に、製品番号、製造年月日、製造ロット番号、メーカー名、製品の納入先、材料の硬さなどから適宜選択する。本実施例において、印字１４はボルト１における頭部の凹部１３に施されているが、読み取り易い位置であれば、フランジ上や平面部１１上などであっても構わない。【００１２】  ｔ０の測定と印字の工程を、例えば完成品の混入検査のような、製品全数を確認する工程と平行して行うことにより、生産効率の悪化を抑えることが可能となる。【００１３】  本発明は本実施例の形態に限らず、様々な形態のボルトに適用可能である。例えば、本実施例においてはフランジ付き六角ボルトに対して本発明を適用したが、フランジのない六角ボルトに対して適用しても構わない。また、本実施例のように予め平面部を有するボルトだけでなく、研磨などにより後から平面部を加工したボルトに対し、本発明を適用、即ちｔ０の測定及び情報の印字を行うことは可能であるものの、製造効率を考慮すると、予め平面部を有するボルトの方がより望ましい。
【符号の説明】
【００１４】  １    ボルト
１１  平面部（頭部側）
１２  平面部（ねじ先端側）
１３  ボルト１頭部における凹部
１４  印字
【図１】
2016031146.tif 000003
【図２】
2016031146.tif 000004
(57)【要約】【課題】検索をどのような検索が出来るか全体像が見えるようにし且つ検索範囲をイメージしやすく指定し検索できる環境を提供する。【解決手段】木構造化されたタグが複数（単数）付与された情報に対し、検索時に木構造タグを複数選択しその検索条件を与え検索することを主要な特徴とする。【選択図】図１
2016031635.tif 000002
【特許請求の範囲】
【請求項１】
木構造化されたタグを表示し、階層上位のタグが選択された時は下位のタグを含めて検索し、そのタグの複数選択と、付与した検索条件でタグが付与された情報を検索。
【発明の詳細な説明】
【技術分野】
【０００１】
本発明は、木構造化されたタグが複数（単数）付与された情報をタグを複数選択し検索条件を付与することによりことによる検索に関するものである。
【背景技術】
【０００２】
従来、検索はキーワードを入力するか、選択肢を階層的に選択していくとこにより目的の情報にたどり着いていた。
【発明の概要】
【発明が解決しようとする課題】
【０００３】
これは、次のような問題があった。
検索する際のキーワード入力手間がある。画面遷移による全体像のわかりにくさがある。検索範囲のわかりにくさがある。本発明は、以上のような欠点をなくすためになされたものである。
【課題を解決するための手段】
【０００４】
本発明は、木構造化されたタグが複数（単数）付与された情報に対し、検索時に木構造タグを複数選択しその検索条件を与え検索することを主要な特徴とする。
【発明の効果】
【０００５】
木構造化されたタグが表示されることで検索対象の全体像が把握できる。そのタグを選択し検索することで上位概念での検索や、下位概念でのより細かい検索を指定できる。そのタグを複数指定し検索条件を付与することにより、検索範囲をイメージしやすく検索することが出来る。キーワードの入力の必要なくなる。
【図面の簡単な説明】
【０００６】
【図１】本発明でのタグ選択の一例である。
【発明を実施するための形態】
【０００７】
情報にタグが付与されている。タグは木構造化されている。そのタグを表示する。そのタグを選択する。上位項目を選択した場合はその下位項目もふくめ検索される。タグが複数選択された場合はAND検索OR検索等の検索条件取得し検索する。
その一例を図１に示す。図２の場合、江戸時代（タグにあたる）と国宝（タグにあたる）が選択されている。右上のANDを押した場合（検索条件にあたる）江戸時代の国宝を検索する。ORを押した場合（検索条件にあたる）江戸時代のタグが与えられている情報のすべてと国宝のタグが与えられている情報のすべてがあわせて検索結果となる。国宝の上位概念である重要文化財（タグにあたる）を選択すると、国宝と重要文化財を含めて検索する。ANDを押した場合（（”国宝”もしくは”重要文化財”）且つ”江戸時代”）という検索になる。
【産業上の利用可能性】
【０００８】
スマートフォン等操作画面が小さい端末の中でも、文字入力の必要がなく、画面遷移なく全体を見通せ、有用に検索できる。
【図１】
2016031635.tif 000003
(57)【要約】      （修正有）【課題】夏季の夜間に発生する様々な虫が、ライトの光に寄せられて、自動車のフロントバンパー等に付着した時、洗車時にブラシや布等を使って除去するしかなかったが、時間と手間をかけずに、容易に取れる資材を提供する。【解決手段】フロントバンパー１等にフィルム２を張り付ける。前記フィルム２は、洗車以前に付着した虫３とともに貼り付けた個所から一緒に剥がす。その後、自動車のフロントバンパー等を容易に洗うことができる。【選択図】図１
2016049060.tif 000002
【特許請求の範囲】
【請求項１】
自動車のフロントバンパー等に付着した虫を共に除去することを特徴とするフィルム。
【請求項２】
その形状が長方形あるいは円等であることを特徴とする請求事項１のフィルム。
【請求項３】
その形状が大小様々であることを特徴とする請求事項１のフィルム。
【請求項４】
その形状が透明あるいは色付であることを特徴とする請求事項１のフィルム。
【請求項５】
容易に除去できることを特徴とする請求事項１のフィルム。
【発明の詳細な説明】
【技術分野】
【０００１】
本発明は、自動車のフロントバンパー等に虫が直接付着することを防止し、かつ容易にその虫とともに除去できるフィルムに関するもの。
【背景技術】
【０００２】
従来、夏季に自動車のフロントバンパー等に付着する虫は、洗車時にブラシや布を使って取り除くしかなかった。そのため、虫が多く付着している場合は、こびり付いて容易に取れないため、時間と手間がかかる。
【先行技術文献】
【特許文献】
【０００３】
なし
【非特許文献】
【０００４】
なし
【発明の概要】
【発明が解決しようとする課題】
【０００５】
以上に述べた従来の虫を除去する方法では、洗車時において、時間と手間がかかり、非常に煩わしさがある。その時間と手間を軽減できるものを提供することを課題とする。
【課題を解決するための手段】
【０００６】
以上の課題を解決するために、第一発明は、事前にフロントバンパー等にこのフィルムを張ることにより、虫が直接付着することを防止し、これを虫と共に剥がすことにより、洗車時の時間と手間を軽減することと、フロントバンパー等の汚れも部分的に防ぐことを目的とするものである。
【発明の効果】
【０００７】
本発明のフィルムは、虫が付着すると思われる箇所に、任意に張り付けることができる利点がある。
【図面の簡単な説明】
【０００８】
【図１】図１はフィルムの実施方法を示した斜視図である。
【図２】図２はフィルムの実施方法を示した拡大図である。
【発明を実施するための形態】
【０００９】
この発明の一実施形態を、図１に示す。自動車フロントバンパー１に虫よけフィルム２が張り付けられ、その前には虫３が付着している。
【実施例】
【００１０】
図１の実施形態は、自動車のフロントバンパーに張り付けたものであったが、他の実施形態では、自動車のボディー、フロントグリル等に張り付けても良い。
【符号の説明】
【００１１】
１   自動車フロントバンパー  
２   虫よけフィルム
３   付着した虫    
【図１】
2016049060.tif 000003
【図２】
2016049060.tif 000004
(57)【要約】 【課題】ペットが好む一般的なジャーキー（乾燥肉）は、老犬や子犬では噛み切ることができない。多水分として柔らかく加工した場合は、加工直後のみ飼料として与えることができるが長期保存や市場流通には適しない。【解決手段】魚肉を含む肉類からなる素材を、残留水分値が２８〜３０％の範囲まで乾燥させ、所定のレトルトパウチに封入し、レトルト殺菌を施して製出することで、菌数ゼロの封入品として市場に流通させることができ、開封時にそのまま老犬や子犬にペットフードとして与えると、容易に噛み切って食することができる。【選択図】図１
2016049075.tif 000002
【特許請求の範囲】
【請求項１】
魚肉を含む肉類からなる素材を、残留水分値が２８〜３０％の範囲まで乾燥させ、所定のレトルトパウチに封入し、レトルト殺菌を施してなることを特徴とするペットフードの製造方法。
【請求項２】
残留水分値を２８％台として、レトルト殺菌処理に際して、素材から油脂分及び水分が滲出しないようにした請求項１記載のペットフードの製造方法。
【請求項３】
残留水分値を２９％台として、レトルト殺菌処理に際して、素材から油脂分及び水分が僅かに滲出させてなる請求項１記載のペットフードの製造方法。
【請求項４】
魚肉を含む肉類からなる素材を、残留水分値が２８〜３０％の範囲まで乾燥させ、所定のレトルトパウチに封入し、レトルト殺菌を施して製出してなるペットフード。
【請求項５】
残留水分値を２８％台として、レトルト殺菌処理に際して、素材から油脂分及び水分が滲出しないように製出した請求項４記載のペットフード。
【請求項６】
残留水分値を２９％台として、レトルト殺菌処理に際して、素材から油脂分及び水分が僅かに滲出させて製出した請求項４記載のペットフード。
【発明の詳細な説明】
【技術分野】
【０００１】
本発明は、ジャーキー風味のペットフード及びその製造方法に関するものである。
【背景技術】
【０００２】
ビーフジャーキー、チキンジャーキー等のペットフード（以下「ジャーキー」という）は、周知のとおり生肉を直接或いは適宜な調味液に浸漬した後、低水分に乾燥させた食品であるが、近年のジャーキーは、原料となる肉類や穀類などの原料成分を混練して生地とし、前記生地をスライス成形して乾燥処理し、製出している（特許文献１）。
【０００３】
またペットフードのレトルト飼料として、ペットへのカルシウム補給として、骨若しくは肉付骨を蒸煮したものと、調味液とをレトルトパウチに密封し、レトルト処理したものが提案されている（特許文献２）。
【先行技術文献】
【特許文献】
【０００４】
【特許文献１】特開２０１３−１１８８６７号公報。
【特許文献２】特許２８５３９６６号公報。
【発明の概要】
【発明が解決しようとする課題】
【０００５】
ペットフードとしてのジャーキーは、ペット（犬猫）に好まれるが、添加物を多量に含む混連生地を使用したジャーキーは、化学添加物を含む恐れがあるので、飼い主に嫌われてしまう。そこで飼い主は、添加物の無い素材だけのジャーキーをペットに与えようとするが、ハードタイプの飼料である従前のジャーキーは固く、老犬や幼犬や猫に与えるには不適当である。
【０００６】
そこで本発明は、老幼犬や猫が食し易く、且つ市場で流通可能としたペットフード（ジャーキー）を提案したものである。
【課題を解決するための手段】
【０００７】
本発明（請求項１及び４記載）に係るペットフード及びその製造方法は、魚肉を含む肉類からなる素材を、残留水分値が２８〜３０％の範囲まで乾燥させ、所定のレトルトパウチに封入し、レトルト殺菌を施して製出したものである。
【０００８】
而して前記ペットフードは、添加物が無いジャーキーであり、且つ容易にペットが噛み切ることのできる所定の柔らかさを確保したため、老幼犬や猫に与えることができ、しかもレトルト処理（密封殺菌処理）を行っているので、１年以上保存を可能として、ソフト食感のジャーキー商品として市場に流通させることができる。
【０００９】
また本発明の請求項２及び５記載に係るペットフード及びその製造方法は、特に前記ペットフードにおいて、残留水分値を２８％台として、レトルト殺菌処理に際して、素材から油脂分及び水分が滲出しないようにしたものである。従って前記のペットフードは、通常のジャーキーと同様に、柔らかいジャーキーをそのまま手からペットにおやつとして与えることができる。
【００１０】
また本発明の請求項３及び６記載に係るペットフード及びその製造方法は、特に前記ペットフードにおいて、残留水分値を２９％台として、レトルト殺菌処理に際して、素材から油脂分及び水分が僅かに滲出させてなるものである。従って食餌容器において与えると、ジャーキーの風味を残したまま、肉汁が滲み出るペットフードとしたものである。
【発明の効果】
【００１１】
本発明は上記の構成とおりで、老幼犬や猫が食することができる柔らかいジャーキーを、長期保存を可能として、流通商品としたものである。
【図面の簡単な説明】
【００１２】
【図１】本発明の実施形態の製造説明表である。
【発明を実施するための形態】
【００１３】
次に本発明の実施形態について説明する。第一実施形態は、製出されるジャーキーが従前のジャーキー同様の風味を備えるが、相応に柔らかく老犬や子犬がかみ切れる程度のペットフード（以下「ソフトタイプ」という）で、第二実施形態は、前記ソフトタイプより更に水分を少し残して乾燥し、僅かな肉汁が滲み出る程度のペットフード（以下「ジューシータイプ」という）である。
【００１４】
第一実施形態は、図１の表の「ソフトタイプ」に示すように、「鶏ささみ」及び「馬赤身」を素材として、５０℃の温風で所定時間乾燥させて、「鶏ささみ」及び「馬赤身」の残留水分を２８％強とする。
【００１５】
次に前記の乾燥肉をレトルトパウチに封入にし、２気圧の高圧下で１１５℃、４０分のレトルト加熱処理を行って製出する。
【００１６】
前記のレトルト処理製品は、一般細菌数検査で１ｇ当たり３００未満であり、１年以上の保存期間がありレトルト品として市場に流通できるものである。
【００１７】
従ってレトルト品として製出品は、封入を解除してそのままペットフード（ジャーキー）として老犬や子犬に与えることかでき、その柔らかさは老犬や子犬が十分に噛み切ることができる。
【００１８】
第二実施形態は、図１の表の「ジューシータイプ」に示すように、「鶏ささみ」及び「馬赤身」を素材として、５０℃の温風で所定時間乾燥させて、「鶏ささみ」「馬赤身」の残留水分を２９％強としたものである。
【００１９】
前記の「ジューシータイプ」のジャーキーも第一実施形態と同様のレトルト処理をおこなうもので、密封状態で市場に流通させてなる。
【００２０】
この「ジューシータイプ」のジャーキーは、開封してペットに与えるものであり、含有水分を前記「ソフトタイプ」よりも多くして、レトルトパウチ内で僅かな肉汁（水分及び油分）が滲み出るようにし、柔らかく仕上げると共に、噛んだ際にペットの口の中に肉汁が滲み出るので、よりペットに好まれることになる。
【図１】
2016049075.tif 000003
(57)【要約】      （修正有）【課題】仏閣に参詣した際には、仏閣における線香のような働きをするものがないため、線香に相当する供物が望まれていたので、これを提供する。【解決手段】熨斗袋の右上に貼りつけてある熨斗を上下の長さ１５ｃｍ程度の大きさに拡大し供物用熨斗Ａとする。この熨斗は、四角形状のシート部材の対角線上の角部をそれぞれ左右方向から折り返させることで形成されるものであり、その折りたたみ端部には長手方向へ沿って重合部３が、その下部４には中心方向へ折り曲げられた折り曲げ部が形成されている。その折り曲げ部を底として、上方の開口部７から内部に供物５が収容されるように収納部６が構成されている。これに一般的な供物である米や塩のほか、固形で昇華する特性をもつナフタリン製剤に深山の匂い、あるいは神社に樹生している檜等の匂いを添加したものを入れてお供えすることで、仏閣にお参りして線香に火を付けてお供えするのと同等の効果が期待できる。【選択図】図３
2016049420.tif 000002
【特許請求の範囲】
【請求項１】
四角形状のシート部材の対角線上の角部をそれぞれ左右方向から折り返させることで形成される熨斗であって、その熨斗の折りたたみ端部は長手方向へ沿って重ね合わされる重合部が形成されるとともに、その下部はシート部材を中心方向へ折り曲げられた折り曲げ部が形成されていることを特徴とする供物用熨斗。
【請求項２】
前記熨斗の重合部には、熨斗を帯状に結ぶように結び部材が設けられている、請求項１記載の供物用熨斗。
【請求項３】
前記熨斗は、その下部の折り曲げ部を底として上方から供物が収容されるように収納部が構成されていることを特徴とする請求項１または請求項２に記載の供物用熨斗。
【発明の詳細な説明】
【技術分野】
【０００１】  本発明は、神社等へ参詣した際の供物に関するものである。
【背景技術】
【０００２】  神社に参詣した際の従来の供物としては、神事など改まった席の場合には榊に御幣を付けた玉串を用いている。しかし多くの場合は初穂料や幣帛料として現金を熨斗袋に入れて奉納している。また、平素参詣する際には賽銭として現金を奉納している。
【発明の概要】
【発明が解決しようとする課題】
【０００３】  仏閣に参詣した際には、賽銭として現金を奉納すると共に線香に火を付けてお供えする風習がある。しかし、神社においては上記のように平素は賽銭として現金をお供えしているが、仏閣における線香のような働きをするものがないため、線香に相当する供物が望まれていた。
【課題を解決するための手段】
【０００４】  本発明は、日本に古くから伝承されている熨斗で、現代では一般的な形態の熨斗袋の右上に貼りつけてある熨斗を、およそ上下の長さ１５ｃｍ程度の大きさにしたものでその折り方及び形状に特徴を持たせたものである。【０００５】  そして、この熨斗は、四角形状のシート部材の対角線上の角部をそれぞれ左右方向から折り返すことで形成される熨斗であって、その熨斗の折りたたみ端部は長手方向へ沿って重ね合わされる重合部が形成されるとともに、その下部は中心方向へ折り返されることで上方から供物を収納できるように収納部が構成されている熨斗である。【０００６】  上記のように構成されることで上方から米や塩などの供物を入れてお供えすることを特徴とするものである。【０００７】  また米や塩の代わりに、固形で昇華する特性をもつナフタリン製剤に深山の匂いあるいは神社に樹生している檜などの匂いを添加したものを熨斗の中の収納部へ入れてお供えすることも出来るようにしたことを特徴とするものである。【０００８】  熨斗の重合部には、熨斗から供物を入れる袋が飛び出さないようにするため、帯状に結ぶように結び部材が設けられている。
【発明の効果】
【０００９】  上記の供物用熨斗の中に供物を入れて神社にお供えすることで、神様に対する崇敬の念が高揚すると共に、供物を奉納することで神社に対する親近感を醸成することができる。
【図面の簡単な説明】
【００１０】
【図１】従来技術を示し、熨斗袋に熨斗が貼りつけられた状態を示す図。
【図２】本発明の正面図である。
【図３】図２の熨斗の下部を後ろ方向へ折り曲げて収納部が形成された状態を示す熨斗の正面図である。
【図４】図３の熨斗の中の収納部にお供えする供物を入れた状態を示すものを、側面から見た断面図である。
【発明を実施するための形態】
【００１１】  図１は、日本に古くから伝承されている形態の従来技術である熨斗Ｂである。この図１に示すように熨斗Ｂは熨斗袋の右上に貼り付けられているのが一般的となっている。
【００１２】  図２は、本発明の熨斗を示す。この熨斗Ａは、一枚ものの紙で構成された、例えばおよそ一辺が１１ｃｍの四角形状、正方形（図２の想像線を参照）のシート部材１を、その対角線上の角部１ａおよび１ｂを基準としてそれぞれ左右方向からそれぞれ複数回折り返すことで形成される。
【００１３】  このように構成された熨斗Ａは、折り返された中心側において左右方向から折り返された部分が図面上で上下方向において開口部７は接しているが重なっておらず下部４は、例えば２ｍｍ程度重なり合うように重合部３が形成されている。なお、この熨斗Ａにはその重合部３が開かないように帯状の結び紙２が巻かれている。
【００１４】  上記のように構成された熨斗Ａは、その下部が図２の折り曲げ線Ｓで示す部分から裏面側に折り曲げられることで、図３で示すように熨斗Ａの内部に供物５を収容する収納部６が形成される。この供物５は熨斗Ａの上方の開口部７から挿入されるように構成されている。
【００１５】  上記のように構成された熨斗Ａの収納部６に収容される供物５としては、一般的な供物である米や塩のほか、固形で昇華する特性をもつナフタリン製剤に深山の匂い、あるいは神社に樹生している檜等の匂いを添加したものを使用することができる。
【産業上の利用の可能性】
【００１６】  日本に古くから伝わる熨斗を供物が入る大きさにし、その中に米や塩、あるいは固形で昇華する特性をもつナフタリン製剤に深山の匂いあるいは神社に樹生している檜などの匂いを添加したものを入れてお供えすることで、仏閣にお参りして線香に火を付けてお供えするものと同じような効果で、神様に対する崇敬の念が高揚するとともに神社に対する親近感を醸成し、神社に参詣する人が増えることで消費活道を活性化できるなど、産業上利用度の高いものである。
【符号の説明】Ａ  供物用熨斗
Ｂ  一般的な熨斗
１  シート部材
１ａ  角部
１ｂ  角部
Ｓ  折り曲げ線
２  結び紙
３  重合部
４  下部
５  供物
６  収納部
７  開口部
【図１】
2016049420.tif 000003
【図２】
2016049420.tif 000004
【図３】
2016049420.tif 000005
【図４】
2016049420.tif 000006
(57)【要約】【課題】  火災時に煙・炎等による人的被害を減少させる為、天井・スラブに防煙防火機能を持った、下降式の円形カーテンを提供する。【解決手段】  天井・スラブ（１）に取り付ける防煙・防火機能をもったカーテン（２）を特徴とする。とする。【選択図】図２
2016049422.tif 000002
【特許請求の範囲】
【請求項１】
防煙・防火機能を持った下降式円形カーテン
【発明の詳細な説明】
【技術分野】
【０００１】  この発明は、火災時にバルコニー等でやむなく待機する場合の被害防止の為に使用するカーテンに関するものである。
【背景技術】
【０００２】  従来火災時にバルコニー等でやむなく待機する場合、保護策がなかった。
【先行技術文献】
【特許文献】
【０００３】
【特許文献１】
【発明の概要】
【発明が解決しようとする課題】
【０００４】  これは次のような欠点があった。
従来火災時、バルコニー等でやむなく救助を待つ場合、煙・炎等による被害が多かった。
本発明は以上のような欠点を減少する為になされたものである。
【課題を解決するための手段】
【０００５】  バルコニー等の天井・スラブ下に、下降式の円形カーテンを設ける。
本発明は以上の構成よりなる避難カーテンである。
【発明の効果】
【０００６】  バルコニー等に火災時に、構造上問題の無い避難カーテンを天井・スラブに設けることにより、やむなく待機する人の被害が減少する。
【図面の簡単な説明】
【０００７】
【図１】本発明の平面図である。
【図２】本発明の断面図である。
【発明を実施するための形態】
【０００８】  以下本発明を実施するための形態について説明する。
バルコニー天井・スラブ（１）に防煙・防火機能を持った下降式の円形カーテン（２）を設け安全区域を確保する。
本発明は以上のような構造である。
【符号の説明】
【０００９】１  天井・スラブ
２  避難カーテン
【図１】
2016049422.tif 000003
【図２】
2016049422.tif 000004
(57)【要約】【課題】使用後の粘着テープを捲る際、髪や糸などが切り取り部分に付着していると、切れ目通りには切り取ることができず、また、汚れた面に触れなければテープが切り取れないため不衛生だった。更に、芯部分に弾力性がないため、隅のゴミを粘着テープに付着させることができなかった。本発明は、衛生的且つ機能的な粘着クリーナーを提供する。【解決手段】持ち手に柄を付け、柄の先に回転する芯棒に綿を巻き弾力をもたせた芯をつくり、そこに袋状の粘着テープ、または袋に粘着テープを巻いたものを複数回被せることを特徴とした粘着クリーナー。【選択図】図２
2016049424.tif 000002
【特許請求の範囲】
【請求項１】
持ち手に柄を付け、柄の先に回転する芯棒に綿を巻き弾力をもたせた芯に、袋状の粘着テープ、または袋に粘着テープを巻いたものを複数回被せた粘着クリーナー。
【請求項２】
袋状の粘着テープ、または袋に粘着テープを巻いたものを複数回被せて、回転する芯棒に取り付けて使用する請求項１の粘着クリーナー。
【発明の詳細な説明】
【技術分野】
【０００１】本発明は床や壁、天井、家具、家電、洋服、寝具など掃除する場所のゴミを粘着テープに付着させて掃除するために使用される掃除用具に関するものである。
【背景技術】
【０００２】粘着クリーナーは、持ち手に柄がついており、柄の先に回転する芯棒を装着し、その芯棒に円筒状の粘着テープをセットして使用する掃除器具である。
従来の粘着クリーナーは持ち手に柄がついており、その柄の先に回転する芯棒と、芯棒には切れ目の入った粘着テープが装着されている。
芯棒に切れ目の入った粘着テープをセットして、掃除面に接着し回転することで粘着テープに掃除面のゴミを付着させ、粘着力が無くなったら粘着テープの切れ目部分を手で剥がして新しい粘着面を出し、再びゴミを付着させることを繰り返して掃除していた。
【先行技術文献】
【特許文献】
【０００３】
【特許文献１】特開２０１３−２２３３９
【発明の概要】
【発明が解決しようとする課題】
【０００４】従来の粘着クリーナーには、次のような解決すべき課題があった。
（イ）粘着テープ装着部および粘着テープに弾力性がないため、壁と床の設置面などに粘      着テープが接着できず、隅のゴミが取れない。
（ロ）掃除後の汚れた粘着テープを切り取る際、汚れた面に触れなければ粘着テープが切      り取れないために衛生上の問題がある。
（ハ）掃除後の汚れのついた粘着テープを捲る際、粘着面についたゴミの一部が落ちる。
（ニ）髪やペットの毛、糸くずなど長いものが粘着テープの切れ目部分に付着すると、粘      着テープに切り込みが入っていても、切り込み部分できれいに切ることができない      。
（ホ）切れ目の見えない、見えにくい高齢者は粘着テープの切れ目部分に切れ目部分が分      かりにくい。
（ヘ）手先の力が弱い高齢者や子供はゴミがついた状態の粘着テープの切れ目に沿って切      ることが難しい。
（ト）ゴミがついた状態の粘着テープは片手で切り取ることが難しい。
本発明は以上の問題点を解決されるためになされたものである。
【課題を解決するための手段】
【０００５】持ち手に柄を付け、柄の先に回転する芯棒に綿を巻き弾力をもたせた芯をつくり、そこに袋状の粘着テープ、または袋に粘着テープを巻いたものを複数回被せる。
以上の構成によりなる粘着クリーナー。
【発明の効果】
【０００６】壁などの隅に粘着面を密着させることが可能になり、汚れたテープ面に触れることなく新しい粘着面を出すことができるため、非常に衛生的になった。また、一度付着したゴミは、粘着テープを捨てる際に袋の内側に入るため、接着面から落ちることがない。
簡単に汚れのついた粘着テープを捨てることが可能、且つ片手で新しい粘着テープに交換することができる。
【図面の簡単な説明】
【０００７】
【図１】従来の断面図
【図２】本発明の断面図
【図３】本発明の使用状態を示す図
【発明を実施するための形態】
【０００８】以下、本発明の実施の形態を説明する。
（イ）持ち手（１）に柄（２）を取り付け、その先に回転する芯棒（３）に綿を巻き粘着テープを装着するための芯（４）を作る。
（ロ）芯（４）に外側に粘着面がある袋状（６）の粘着テープ（５）を複数回被せる。
本発明は以上のような構造である。
本発明を使用するときは、持ち手（１）を持ち、粘着テープ面（５）を掃除したい箇所に接着し、回転させてゴミを付着させる。
ゴミを付着させた後は、袋の口部分（７）を持って、袋部分（６）に向かって捲ることで新しい面の粘着テープを出現させ、捲り終わったゴミが付着した面が袋の内側に入っている袋状の粘着テープは、そのまま廃棄できる。
【符号の説明】
【０００９】  １  持ち手、２  柄、３  芯棒、４  芯、５  袋状の粘着テープ、６  袋部分、
７  袋の口部分
【図１】
2016049424.tif 000003
【図２】
2016049424.tif 000004
【図３】
2016049424.tif 000005
(57)【要約】      （修正有）【課題】鼻に劣等感をもつ人に簡単に美しく整った鼻に変形させることができる、鼻美容具としての中空の形状である鼻高め用整形具を提供する。【解決手段】鼻矯正用美容器具は、中空の物体であり、鼻腔内に挿入しやすい大きさで、鼻の形状を美しく整えるために例えば楕円形や細い卵形と言った理想の鼻孔の形状に近い形で作られている。本体は例えば、柔軟でかつ適度に鼻の形状を外見的に変える事のできる程度の弾性を有する可撓性のプラスチック材又はシリコン材等で構成されている。【選択図】図１
2016049425.tif 000002
【特許請求の範囲】
【請求項１】
中空の形状で、鼻内に固定可能な大きさであり、鼻の内部に固定して鼻の形状を矯正する鼻用美容器具。
【発明の詳細な説明】
【考案の詳細な説明】
【技術分野】
【０００１】本考案は、鼻を高めて美しく立派に見えるように調整する、鼻美容具としての鼻矯正用美容器具に関する。
【背景技術】
【０００２】アジア人の鼻は西洋人に比べて低いため西洋の美を基準にすると決して美しいとは言えないものが多い。鼻は顔の中心にあるため印象を決める為に重要な要素であるため、鼻が美しくない人は劣等感を感じ、鼻を美しく見せようとあらゆる手段で試行錯誤する。【０００３】鼻の形状を人為的に変えるのは外科的手術が一般的である。既に知られている外科的手術法は、人工物や自身の軟骨などを挿入、固定して鼻の形状を変えるものである。しかしこれは金銭的、精神的、肉体的な負担が大きく、また副作用の危険も伴うので容易に施術を受ける事は難しい。【０００４】また外科的手術以外に既存の技術として鼻内に挿入可能な長さを有し、湾曲した可撓性の本体の一端に外形が円形の内側端部を形成し、他端に外形が円形の外側端部を形成し、前記本体の背面にフックかけを突出して形成した鼻矯正用美容器具が存在する（特許文献）。
【特許文献】
【０００５】
【特許文献１】特開２００１−３７７９６広報
【発明が解決しようとする課題】
本発明は、鼻を高めて美しく立派に見えるように調整する、鼻美容具としての鼻矯正用美容器具を提供することを目的とする。
【０００６】しかしながら、特許文献１では器具と鼻が接する面積が両端に存在する円形の端部のみととても小さいため鼻水を拭いた際等に容易く取れてしまう上に、細長い形状なので鼻腔内の奥に入ってしまう危険がある。
【課題を解決するための手段】
本発明は中空の形状をしており、鼻内に固定可能な大きさであり、鼻の内部に固定して鼻の形状を矯正するということを特徴とする。鼻腔への挿入、取り出しも簡単であり、ユーザーが簡便に利用出来る形状であるといえる。
【発明を実施するための形態】
【０００７】図１に示すように、鼻矯正用美容器具は、中空の物体であり、鼻腔内に挿入しやすい大きさで、鼻の形状を美しく整えるために例えば楕円形や細い卵形と言った理想の鼻孔の形状に近い形で作られている。本体は例えば、柔軟でかつ適度に鼻の形状を外見的に変える事のできる程度の弾性を有する可撓性のプラスチック材又はシリコン材等で構成されている。
【０００８】本発明を鼻腔内から取り出す時、指先でつまみ出す事は非衛生的であり、また引き出す事が容易でないことを考慮し、特別に細く作ったフック（図３参照）を添付するとなお良い。
【０００９】この鼻矯正用美容器具は、左右一対で成り、サイズ別にセット化するとともに、その都度、適当なサイズのものを選んで挿入することによって、低い鼻から高い鼻まで多様に変化させるようにすることもできる。
【０００８】整形具を鼻内に挿入するとき、親指と人差し指でつまみ、挿入する。本考案器具が挿入されるときには、本考案器具は、鼻孔の大きさの差異に応じて弾性的に曲がった状態で鼻内に装着され、その後、指で位置を調整することで鼻を高めることができる。このように考案器具を挿入すると、鼻腔内に考案器具が広い面積で接することになり安定して鼻の形状を変える事ができる。
【００１０】整形具を引き出すときには、フックの先端の鉤を整形具にかけそっと引っ張るとそのまま抜け出る。
【考案の効果】
本考案によれば、本考案の鼻矯正用美容器具を利用すると、外科的手術によることなく、極めて容易な方法で精神的、肉体的負担を負う事無く、簡便・迅速に見にくい鼻も美しく立派に変化させることができ、いつでもどこでも簡単に着脱することができる。
【００１１】以下、実施例を用いて本考案を具体的に説明するが、本考案はこれらに限定されるものではない。
【実施例１】
【００１２】（構成）
図１は、本考案の実施例１の鼻矯正用美容器具の正面図である。図２は、本考案の実施例１の鼻矯正用美容器具の平面図である。図３は、本考案の実施例１の鼻矯正用美容器具を鼻孔内から除去する際に使用するフックである。図４は、本考案の実施例１の鼻矯正用美容器具を使用した際の頭部断面図である。【００１３】（使用方法）
本体を押しつぶすようにつまんで挿入する。【００１４】図４は、本考案の実例１の鼻美容器具を鼻に挿入した際の使用状況を示す図である。鼻の形状に劣等感を感じる人の鼻は高さが無く横に広い場合が多い。本考案の実例１の美容器具を鼻孔に挿入することで鼻腔内で本体が拡がり、鼻を内部から鼻先方向に押し、横に広がった鼻を矯正し、一般的に美しいとされる鼻先方面に先細る卵形や長円形の鼻孔へと矯正することができる。【００１５】（効果）本実施例は、かかる構成であるため鼻の形状矯正することが可能で、かつ挿入及び取出しが容易で安全性が高いという効果を有する。より詳細には、（イ）〜（ホ）の効果を有する。【００１６】（イ）本考案が鼻孔内で広がり、内部から押し広げ、鼻孔の形状を美しく矯正することができる。
（ロ）本体を側面から押しつぶすようにして指で挟んで鼻孔に挿入できるので、挿入時に精神的、肉体的負担がなく使用が容易である。
（ハ）挿入後、本考案は鼻孔内にフィットするため、外見から本考案を確認すること来ず、周囲に気づかれる事無く使用出来る。
（ニ）男女問わず３サイズ程度で対応することが可能で、コストが安くすむ。
（ホ）中空であるため、鼻の中に挿入する器具でありながらも使用中の鼻呼吸の障害にならない。
【図面の簡単な説明】
【００１７】
【図１】本考案の実施例１の鼻矯正用美容器具の正面図である。
【図２】本考案の実施例１の鼻矯正用美容器具の平面図である。
【図３】本考案の実施例１の鼻矯正用美容器具を鼻孔内から除去する際に使用するフックである。
【図４】本考案の実施例１の鼻矯正用美容器具を使用した際の頭部断面図である。
【図１】
2016049425.tif 000003
【図２】
2016049425.tif 000004
【図３】
2016049425.tif 000005
【図４】
2016049425.tif 000006
(57)【要約】      （修正有）【課題】事故時の衝撃による人的被害を減少させる為、自動二輪車にエアバックを設けた物を提供する。【解決手段】自動二輪車１にエアバック２を設けた二輪車を特徴とする。エアバック２は自動二輪車前方に設けられており、自動二輪車の運転に際して発生する事故等において、正面からの衝撃に対して運転者の身を守ることができる。【選択図】図１
2016049959.tif 000002
【特許請求の範囲】
【請求項１】
エアバック機能を持ったエアバック付自動二輪車
【発明の詳細な説明】
【技術分野】
【０００１】  この発明は、自動二輪車運転時事故等により、正面からの衝撃に対し身を守る為のエアーバックに関するものである。
【背景技術】
【０００２】  従来、衝突時保護策がなかった。
【先行技術文献】
【特許文献】
【０００３】
【特許文献１】
【発明の概要】
【発明が解決しようとする課題】
【０００４】  これは次のような欠点があった。
従来自動二輪車での事故の被害が多かった。
本発明は以上のような欠点を減少する為になされたものである。
【課題を解決するための手段】
【０００５】  自動二輪車前方にエアバックを設ける。
本発明は以上の構成よりなる二輪車である。
【発明の効果】
【０００６】  自動二輪車にエアバックを設けることにより、事故時に運転者の被害が減少する。
【図面の簡単な説明】
【０００７】
【図１】本発明の側面図である。
【発明を実施するための形態】
【０００８】  以下本発明を実施するための形態について説明する。
自動二輪（１）にエアバック（２）を前方に設け、エアバック付二輪車とする。
本発明は以上のような構造である。
【符号の説明】
【０００９】  １  自動二輪車
２  エアバック
【図１】
2016049959.tif 000003
(57)【要約】      （修正有）【課題】私事ではありますが、リウマチで手の指が痛くて給油口の蓋の開け閉めがつらいので手の不自由な人や力の無い女性に重宝するワンタッチの蓋を提供する。【解決手段】自動車の給油口の蓋において、楽に開け閉めが出来るワンタッチの蓋１である。ロック２とパッキン３も付いているので走行中に開くことも漏れる事も無い、ワンタッチの蓋。【選択図】図１
2016049958.tif 000002
【特許請求の範囲】
【請求項１】
自動車の給油口の蓋において、楽に開け閉めが出来る▲１▼ワンタッチの蓋である。
私事ではありますが、リウマチで手の指が痛くて給油口の蓋の開け閉めがつらいので手の不自由な人や力の無い女性に重宝するワンタッチの蓋である。
▲２▼ロックと▲３▼パッキンも付いているので走行中に開くことも漏れる事も無い、ワンタッチの蓋
【発明の詳細な説明】
【技術分野】
【０００１】本発明は、自動車給油口に関する便利な装置である。
ここから書き始めます。
【背景技術】
【０００２】私事ではありますが、リウマチで手の指が痛くて給油口の蓋の開け閉めがつらいので手の不自由な人や力の無い女性に重宝するワンタッチの蓋である。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
【課題を解決するための手段】
【・・・・】
【発明の効果】
【・・・・】
【図面の簡単な説明】
【・・・・】
【図１】
【発明を実施するための形態】
【・・・・】
【実施例】
【・・・・】
【産業上の利用可能性】
【・・・・】
【符号の説明】
【・・・・】
【受託番号】
【・・・・】
【図１】
2016049958.tif 000003
【手続補正書】
【提出日】平成26年10月28日(2014.10.28)
【手続補正２】
【補正対象書類名】明細書
【補正対象項目名】全文
【補正方法】変更
【補正の内容】
【発明の詳細な説明】
【技術分野】
【０００１】本発明は自動車給油口に関する便利な装置である
【背景技術】
【０００２】私事ではありますがリウマチで手の指が痛くて給油口の蓋の開け閉めが辛いので手の不自由な人や力のない女性に重宝するワンタッチの蓋である
【図面の簡単な説明】
【０００３】
【図１】給油口の蓋をした状態  給油口の蓋を開けた状態およびパッキンの部分を表している図である
【符号の説明】
【０００４】１  ワンタッチの蓋    ２  ロック    ３  パッキン
(57)【要約】【課題】表層にカラー印刷ができ、削りやすく汎用性のあるスクラッチ印刷物及びその製造方法【解決手段】銀色インク（３）の上に白色インク（４）を乗せカラー印刷ができるスクラッチ印刷物及びその製造方法【選択図】図１
2016049761.tif 000002
【特許請求の範囲】
【請求項１】
隠蔽面（１）の上に白色インク（４）等を乗せカラー印刷（５）が出来るスクラッチ印刷物及びその製造方法
【発明の詳細な説明】
【技術分野】
【０００１】  この発明はスクラッチ面にカラー印刷ができ、より削りやすく汎用性のあるスクラッチ印刷である。
【背景技術】
【０００２】  従来、スクラッチ印刷の表層は銀色もしくは金などの遮光性のあるに色の上に色を乗せていたため、単一色もしくは暗い色になっていた。
【先行技術文献】
【特許文献】
【０００３】
【特許文献】
【非特許文献】
【発明の概要】
【発明が解決しようとする課題】
【０００４】  解決しようとする問題点は、隠蔽面を隠す為に銀色もしくは金などの遮光性のあるに色で覆い隠す為に表層にキレイな印刷が出来ず、単一色、もしくは暗い色になっていた。
インクを重ねると色は乗せれるが固くなり削りにくくなる。
【課題を解決するための手段】
【０００５】  銀色のスクラッチ面の上にカラー印刷をできるように新たに滲まず硬化しにくい白色インクをのせ、硬化しにくいカラー印刷をする。より滑らかに削る為に隠蔽面の上に透明フィルムを重ねる。
【発明の効果】
【０００６】  銀色のスクラッチ面に硬化しにくい白色インクを乗せインクジェット印刷がにじまない加工を施した事によりスクラッチ面にインクジェット印刷などのカラー印刷ができる。
【図面の簡単な説明】
【０００７】
【図１】図１は印刷の断面図である。
【発明を実施するための形態】
【０００８】  隠蔽面（１）を印刷し、透明フィルム（２）を重ねる。その上に銀色インク（３）を印刷する。その上にインクジェットなどのカラー印刷が出来るように白色インク（４）を乗せる。その上に表層に当たるインクジェット印刷などのカラー印刷（５）を施す。
【符号の説明】
【０００９】（１）    隠蔽面印刷
（２）    透明フィルム
（３）    銀色インク
（４）    白色インク
（５）    カラー印刷
【図１】
2016049761.tif 000003
(57)【要約】【課題】  差し入れをする際の時間的及び地理的問題を解決することが望まれている。【解決手段】  差し入れをする者が店舗において差し入れしたい商品を購入し、その情報をホストコンピュータに蓄積すると同時に排他的コードを割り当て、そのコードを情報通信機器等を用いて差し入れされる者に通知する。排他的コードを受け取った差し入れされる者は、商品を受け取りたい店舗に行き、排他的コードを提示し、その情報をホストコンピュータとつながった端末に読み込ませることによって差し入れ商品を無料で受け取ることができる。【選択図】図１
2016085603.tif 000002
【特許請求の範囲】
【請求項１】
店舗もしくは電子通信機器等により顧客が注文をすると、その情報がホストコンピュータに蓄積され、排他的コードがホストコンピュータから店舗経由で受取人、ホストコンピュータから受取人、店舗経由で購入者から受取人のいずれかの方法で送信され、排他的コードを受け取った者は商品を受け取りたい店舗へ行き、排他的コードを店舗端末に読み込ませ商品を受け取ることを特徴とするインターネットを活用した差し入れシステム。
【発明の詳細な説明】
【技術分野】
【０００１】
インターネットを活用した商品の販売方法に関するものである。
【背景技術】
【０００２】
従来は、商品を差し入れをする際、商品を購入し、それを直接手渡しする、もしくは宅配便を利用する以外の方法はなかった。
手渡しする場合、直接現地へ赴く必要があり、宅配便を利用する場合、送料が商品の価格を上回ることがあるだけでなく、当日配送が不可能であったり、温かいコーヒーなどを温かいまま送ることはできなかった。
【発明の概要】
【発明が解決しようとする課題】
【０００３】
解決しようとする問題点は、差し入れする商品を即時に遠隔地へ送ることができない点である。
【課題を解決するための手段】
【０００４】
本発明は、電子通信機器等を活用し、遠隔地へ商品を即時に差し入れができることを最も主要な特徴とする。
【発明の効果】
【０００５】
本発明のシステムは特にコンビニエンスストア等のチェーン店において差し入れ需要を掘り起こすことができるという利点がある。
【図面の簡単な説明】
【０００６】
【図１】図１は差し入れシステムの実施方法を示した説明図である。  １    購入者が差し入れしたい商品を購入  ２    商品情報を店舗端末からホストコンピュータに送信  ３    排他的コードの割当（ホストコンピュータから店舗経由で受取人、ホストコンピュータから受取人、店舗経由で購入者から受取人の3種類の送信方法がある）  ４    受取人が店舗にて排他的コードを提示、店舗端末にて読取  ５    ホストコンピュータに照会  ６    結果通知  ７．  受取
【発明を実施するための形態】
【０００７】
商品購入先と商品受取先がホストコンピュータを介して通信できる環境にあること、さらに受取人が情報通信機器等を用い、排他的コードを受信できる環境にあることによって実現できる。
【実施例】
【０００８】
図1は、本発明の一実施例を示すものである。商品を購入する店舗と商品を受け取る店舗はホストコンピュータにインターネット等で常時接続されている。
差し入れをしたい購入者は、店舗において差し入れをしたい商品を購入する。すると商品情報は店舗端末を通じ、ホストコンピュータに送信される。
ホストコンピュータは即座に差し入れる商品情報を排他的コードに置き換え、店舗端末を通して購入者、店舗端末を通さず購入者、もしくは直接受取人に送信される。購入者が受け取った場合、情報通信機器等を用い、受取人にメッセージと共に送信する。
排他的コードを情報通信機器等で受信した受取人は、商品を受け取りたい店舗へ行き、排他的コードを店舗端末に読み込ませる。
店舗端末はホストコンピュータと通信し、情報を紹介し、有効であれば受取人は商品を受け取ることができる。
【符号の説明】
【０００９】
１    購入者が差し入れしたい商品を注文、購入
２    商品情報を店舗端末からホストコンピュータに送信
３    排他的コードの割当及び通知（通知には３通りの方法がある）
ホストコンピュータから店舗経由で受取人（3-1-1, 3-1-2, 3-1-3）
ホストコンピュータから購入者経由で受取人（3-2, 3-1-3）      
ホストコンピュータから受取人（3-3）
４    受取人が商品を受け取りたい店舗にて排他的コードを提示、店舗端末にて読取
５    ホストコンピュータに照会
６    結果通知
７    商品受取
【図１】
2016085603.tif 000003
(57)【要約】      （修正有）【課題】レーザー光線の一直線に進む光を曲げても先に進むようにして電力を送電することのできる、光フイバースコープとレーザー光線を用いた導体電線を提供する。【解決手段】導体電線は、電源１と、増幅発電２と、レーザー光線発生機３と、レーザー光線を反射する鏡加工４と、光フイバースコープ５と、レーザー光線６と、コンデンサ７またダイオードと、変電所８と、を備える。【選択図】図１
2016085437.tif 000002
【特許請求の範囲】
【請求項１】
電源を使用してレーザー光線発生機で電力をレーザー光線に変換し、光フイバースコープに入れて外部に取り出したレーザー光線の導体電力を送電することを特徴とする光フイバースコープとレーザー光線を用いた導体電線。
【発明の詳細な説明】
【技術分野】
【０００１】本発明は、光フイバースコープとレーザー光線を用いた導線に関し、詳しくは医療器具の内視鏡として使用されている光フイバースコープと飛行機を強力なレーザー光線放射で破壊するレーザー光線を用いた光フイバースコープとレーザー光線を用いた導体電線に関する。
【背景技術】
【０００２】従来、医療器具に使用され、人の体内を見る内視鏡と強力なレーザー光線を放射して飛行機を破壊することができることが知られている。ことはレーザー光線が導体線であることがいえる。
【発明の概要】
【発明が解決しようとする課題】
【０００３】そのために次のような問題があった。
従来は大気中に電線を設置することが大半であった。
本発明は、このような課題に鑑みてなされたものであって、外部の電気をエコ使用するために、本発明の特願２０１４−１６７９３３出願中の使用を推奨する。尚現行使用されているガスコロまた電子ライター等の圧電子を大きな物に変えて出力を上げる。
本発明は、以上の問題点を解決しようとするものである。
【課題を解決するための手段】
【０００４】前記した課題を解決するために本発明は、外部の電気をエコ使用するために特願２０１４−１６７９３３を使用し、増幅された電力でレーザー光線発生機で発生したレーザー光線を光フイバースコープの中に入れてコンデンサ・ダイオードで電力に変換することを特徴とする。
【発明の効果】
【０００５】本発明によれば、レーザー光線を使用したことで送電中の抵抗がなくなる。
【図面の簡単な説明】
【０００６】
【図１】本発明の一実施例を示した構成図である。
【０００７】
【発明を実施するための形態】
【０００８】以下、本発明の実施の形態について説明する。
図１は、本発明の一実施例を示した構成図である。
図１において１は電源である。２は出願中の特願２０１４−１６７９３３で増幅発電するものである。該電源の電力をエコ使用するためである。３はレーザー光線発生である。４は鏡加工である。該レーザー光線を反射するものである。５は光フイバースコープである。６はレーザー光線である。該レーザー光線の導体電力である。７はコンデンサまたダイオードである。該電力に変換するものである。８は変電所である。該使用する用途に合はせて電圧を変える所である。
以上説明したように、本発明によればレーザー光線を光フイバースコープ内に放射することで電力抵抗負荷を受けことなく送電することが可能になることを特徴とする。
【符号の説明】
【０００９】１    電源
２    増幅
３    レーザー光線発生機
４    鏡加工処理
５    光フイバースコープ
６    レーザー光線
７    コンデンサ・ダイオード
８    変電所
９    住宅
【図１】
2016085437.tif 000003